(57)【要約】      （修正有）【課題】電線の挿入を妨げることなく鎖錠ばねが電線を端子板へ押圧する力を高めることができる速結端子装置を提供する。【解決手段】ボディに貫設した電線挿入孔１０ａを通して器体１に導入される芯線が接続される端子板２と、芯線と端子板２とを接続する鎖錠ばね３とから成り、鎖錠ばね３は、芯線を端子板２の方へ押圧するとともに芯線の一部に食い込んで抜け止めする鎖錠部３０と、芯線を端子板２の方へ押圧する押圧部３１と、鎖錠部３０と押圧部３１とを連結する連結部３２とを有し、端子板２は、芯線が接触する接触部２０と、鎖錠ばね３を挟んで接触部２０と対向するとともに芯線が接続された状態において連結部３２を支持する支持部２１とを有し、支持部２１における連結部３２との対向部位に連結部３２に向かう方向に突出する第１の突部２１ａを設けた。【選択図】図１
2009259537.tif 000002
【特許請求の範囲】
【請求項１】
器具の器体に貫設した電線挿入孔を通して器体に導入される電線が接続される端子板と、弾性を有する金属板から成り電線と端子板とを接続する鎖錠ばねとから成る速結端子装置であって、鎖錠ばねは、電線を端子板の方へ押圧するとともに電線の一部に食い込んで抜け止めする鎖錠部と、電線の挿入方向に沿って鎖錠部と離間して設けられて電線を端子板の方へ押圧する押圧部と、鎖錠部と押圧部とを連結する連結部とを有し、端子板は、電線が接触する接触部と、鎖錠ばねを挟んで接触部と対向するとともに電線が接続された状態において鎖錠ばねの連結部を支持する支持部とを有し、端子板の支持部における鎖錠ばねの連結部との対向部位に連結部に向かう方向に突出する第１の突部を設けたことを特徴とする速結端子装置。
【請求項２】
前記第１の突部は、連結部の電線の挿入方向における略中央よりも奥側で当接する位置に設けられたことを特徴とする請求項１記載の速結端子装置。
【請求項３】
前記連結部には、支持部に向かう方向に突出するとともに連結部の幅方向において第１の突部を挟んだ位置で支持部に当接する一対の第２の突部が設けられたことを特徴とする請求項１又は２記載の速結端子装置。
【請求項４】
前記第１の突部は、連結部の幅方向に沿って長尺に形成されたことを特徴とする請求項１又は２記載の速結端子装置。
【請求項５】
前記器体内部には鎖錠ばね及び端子板を収納する収納部が設けられ、端子板は、鎖錠ばねを収納部に収納した後に収納部に挿入されるものであって、連結部には、支持部に向かう方向に突出するとともに連結部の幅方向に沿って長尺に形成された第２の突部が設けられ、第１の突部は、鎖錠ばね及び端子板が収納された時に第２の突部よりも挿入方向における奥側に位置することを特徴とする請求項４記載の速結端子装置。
【発明の詳細な説明】
【技術分野】
【０００１】
本発明は、スイッチやコンセント等の器具の器体に収納されて電線を接続する速結端子装置に関する。
【背景技術】
【０００２】
従来から、スイッチやコンセント等の器具において、器体に設けられた電線挿入孔を通して器体に導入された電線を接続するために速結端子装置が広く用いられている。以下、このような速結端子装置を組み込んだ器具の従来例について図面を用いて説明する。尚、以下の説明では、図６における上下を上下方向と定めるものとする。
【０００３】
この従来例は、図６に示すように、略平板状の押釦部１２を押圧することで器体１の内部に収納された接点端子１４の接点切換が行われる押釦スイッチであって、上面を開口した箱形のボディ１０と下面を開口した箱形のカバー１１とを結合して成る器体１と、カバー１１に揺動自在に支持されるとともに押釦部１２の押操作に応じて反転する反転ハンドル１３と、ボディ１０に収納されて外部の負荷（図示せず）と電気的に接続される一対の接点端子１４と、反転ハンドル１３の反転動作に応じて接点端子１４と後述する端子板２との間の接点を切り換える一対の開閉素子１５と、一対の端子板２及び一対の鎖錠ばね３及び解除釦４から成る速結端子装置Ａとから構成される。尚、上記のような押釦スイッチは周知であるので、ここでは詳細な説明を省略するものとする。
【０００４】
速結端子装置Ａは、図７（ａ），（ｂ）に示すように、ボディ１０の下面に貫設された電線挿入孔１０ａを介して器体１内部に導入される電線Ｂが接続される端子板２と、電線Ｂと端子板２とを接続する鎖錠ばね３と、電線Ｂと端子板２との接続状態を解除する解除釦４とから成る。尚、解除釦４は従来周知であるので、図７（ａ），（ｂ）において図示を省略するとともに説明も省略する。
【０００５】
端子板２は導電性を有する金属板から成り、電線Ｂと接触する接触部２０と、電線Ｂを接続した状態において後述する鎖錠ばね３の連結部３２を支持する支持部２１とを対向配置した断面略コ字状に形成されている。鎖錠ばね３は、弾性を有する金属板を折曲して成り、電線Ｂを端子板２の方へ押圧するとともに電線Ｂの一部に食い込んで抜け止めする鎖錠部３０と、電線Ｂの挿入方向に沿って鎖錠部３０と離間して設けられて電線Ｂを端子板２の接触部２０の方へ押圧する押圧部３１と、鎖錠部３０と押圧部３１とを連結する連結部３２とから成る。
【０００６】
鎖錠部３０は、連結部３２の下端部と一体であって且つ連結部３２と併せて断面略Ｖ字状となるように形成されており、電線Ｂの挿入方向に向かうにつれて電線Ｂが導入される開口面積を狭めるようになっている。押圧部３１は、連結部３２の上端部と一体に断面略Ｓ字状に形成され、端子板２の接触部２０に向かう方向に弾性付勢されている。
【０００７】
以下、端子板２と電線Ｂとの接続方法について説明する。先ず、電線Ｂの先端部の被覆を剥がして露出させた芯線Ｂ１を電線挿入孔１０ａを介して器体１内部に挿入する。この時、芯線Ｂ１の先端部が鎖錠部３０を押圧することで鎖錠部３０が連結部３２に向かう方向に撓み、芯線Ｂ１が挿入方向に更に挿入可能となる。芯線Ｂ１を更に挿入すると、芯線Ｂ１の先端部が押圧部３１を押圧することで押圧部３１が連結部３２に向かう方向に撓み、芯線Ｂ１が押圧部３１と接触部２０との間で挟持され、芯線Ｂ１が端子板２と機械的且つ電気的に接続される。
【０００８】
上述のように、押圧部３１が接触部２０に向かう方向に弾性付勢されているので、芯線Ｂ１は押圧部３１の押圧力によって接触部２０に所定の圧で接触する。また、芯線Ｂ１を引き抜こうとすると、鎖錠部３０が芯線Ｂ１に食い込むことで芯線Ｂ１が抜け止めされるので、芯線Ｂ１と端子板２との接続を容易に解除できないようになっている。
【０００９】
ところで、上記従来例では、押圧部３１と接触部２０との間の距離寸法が大きい場合、芯線Ｂ１を端子板２へ押圧する力が小さくなり、接触抵抗が増大して発熱する虞があった。これを解消するために押圧部３１と接触部２０との間の距離寸法を小さくすることが考えられるが、この場合には鎖錠部３１と接触部２０との間の距離寸法も小さくなるため、芯線Ｂ１を挿入し難くなる虞があった。そこで、上記の問題を解消するために、端子板２の押圧部３１と対向する位置の近傍に押圧部３１に向かって突出する突起を設け、押圧部３１と突起との間で芯線Ｂ１を挟持することで芯線Ｂ１と端子板２との間の接触圧力を高める構成が例えば特許文献１に開示されている。
【特許文献１】特開２００５−３３９９４１号公報
【発明の開示】
【発明が解決しようとする課題】
【００１０】
しかしながら、上記特許文献１に記載の構成では、端子板２の押圧部３１と対向する位置の近傍、即ち、端子板２の鎖錠部３０と対向する位置の近傍に突起を設けているため、芯線Ｂ１を挿入する際に突起が邪魔をして芯線Ｂ１が挿入し難いという問題があった。特に、径が大きく且つ硬い単線の芯線Ｂ１を有する電線Ｂを挿入する場合に上記のような問題が起こり得る。
【００１１】
本発明は、上記の点に鑑みて為されたもので、電線の挿入を妨げることなく鎖錠ばねが電線を端子板へ押圧する力を高めることができる速結端子装置を提供することを目的とする。
【課題を解決するための手段】
【００１２】
請求項１の発明は、上記目的を達成するために、器具の器体に貫設した電線挿入孔を通して器体に導入される電線が接続される端子板と、弾性を有する金属板から成り電線と端子板とを接続する鎖錠ばねとから成る速結端子装置であって、鎖錠ばねは、電線を端子板の方へ押圧するとともに電線の一部に食い込んで抜け止めする鎖錠部と、電線の挿入方向に沿って鎖錠部と離間して設けられて電線を端子板の方へ押圧する押圧部と、鎖錠部と押圧部とを連結する連結部とを有し、端子板は、電線が接触する接触部と、鎖錠ばねを挟んで接触部と対向するとともに電線が接続された状態において鎖錠ばねの連結部を支持する支持部とを有し、端子板の支持部における鎖錠ばねの連結部との対向部位に連結部に向かう方向に突出する第１の突部を設けたことを特徴とする。
【００１３】
請求項２の発明は、請求項１の発明において、第１の突部は、連結部の電線の挿入方向における略中央よりも奥側で当接する位置に設けられたことを特徴とする。
【００１４】
請求項３の発明は、請求項１又は２の発明において、連結部には、支持部に向かう方向に突出するとともに連結部の幅方向において第１の突部を挟んだ位置で支持部に当接する一対の第２の突部が設けられたことを特徴とする。
【００１５】
請求項４の発明は、請求項１又は２の発明において、第１の突部は、連結部の幅方向に沿って長尺に形成されたことを特徴とする。
【００１６】
請求項５の発明は、請求項４の発明において、器体内部には鎖錠ばね及び端子板を収納する収納部が設けられ、端子板は、鎖錠ばねを収納部に収納した後に収納部に挿入されるものであって、連結部には、支持部に向かう方向に突出するとともに連結部の幅方向に沿って長尺に形成された第２の突部が設けられ、第１の突部は、鎖錠ばね及び端子板が収納された時に第２の突部よりも挿入方向における奥側に位置することを特徴とする。
【発明の効果】
【００１７】
請求項１の発明によれば、端子板の接触部に突起を設けることなく第１の突部によって鎖錠ばねの押圧部と接触部との間の寸法を小さくすることができるので、電線の挿入を妨げることなく鎖錠ばねが電線を端子板へ押圧する力を高めることができる。
【００１８】
請求項２の発明によれば、第１の突部を支点として鎖錠ばねの連結部が支持部に向かって傾くことで鎖錠ばねの鎖錠部と接触部との間の寸法が広がることから、電線を挿入する際に電線が鎖錠部に引っ掛かることがないので、電線の挿入性を劣化させることなく鎖錠ばねが電線を端子板へ押圧する力を高めることができる。
【００１９】
請求項３の発明によれば、端子板の支持部と連結部とが連結部の幅方向において第１の突部及び第２の突部を介して接触するため、連結部の幅方向におけるがたつきを防止することができる。
【００２０】
請求項４の発明によれば、連結部の幅方向に沿って長尺な第１の突部を介して支持部と連結部とが接触するため、連結部の幅方向におけるがたつきを防止することができる。
【００２１】
請求項５の発明によれば、鎖錠ばねを収納した収納部に端子板を収納する際に、第１の突部が第２の突部を乗り越えて端子板が挿入されるためにクリック感を与えることができ、収納部に端子板が正しく挿入されたことを確認することができる。
【発明を実施するための最良の形態】
【００２２】
以下、本発明に係る速結端子装置の各実施形態について図面を用いて説明する。尚、以下の説明では、図１（ｂ）における上下左右を上下左右方向と定めるものとする。
【００２３】
（実施形態１）
以下、本発明に係る速結端子装置の実施形態１について図面を用いて説明する。但し、本実施形態の基本的な構成は従来例と共通であるので、共通する部位には同一の番号を付して説明を省略するものとする。本実施形態は、図１（ａ），（ｂ）に示すように、端子板２の支持部２１において、連結部３２に向かう方向に突出する長尺の第１の突部２１ａをその長手方向が支持部２１の長手方向に沿うように突設したことに特徴がある。上述のように、第１の突部２１ａを支持部２１に突設することで、接触部２０に突起を設けることなく第１の突部２１ａの厚み方向の寸法分だけ押圧部３１と接触部２０との間の距離寸法を狭めることができるので、電線Ｂの芯線Ｂ１の挿入を妨げることなく押圧部３１が芯線Ｂ１を接触部２０へ押圧する力を高めることができる。
【００２４】
尚、図２（ａ），（ｂ）に示すように、第１の突部２１ａは、連結部３２の芯線Ｂ１の挿入方向における略中央よりも奥側で当接するように配設するのが望ましい。このように構成することで、第１の突部２１ａを支点として連結部３２が支持部２１に向かって傾くことで鎖錠部３０と接触部２０との間の距離寸法が大きくなることから、芯線Ｂ１を挿入する際に芯線Ｂ１が鎖錠部３０に引っ掛かり難くなるので、芯線Ｂ１の挿入性を劣化させることなく押圧部３１が芯線Ｂ１を接触部２０へ押圧する力を高めることができる。
【００２５】
更に、図３（ａ），（ｂ）に示すように、第１の突部２１ａは、その長手方向が支持部２１の幅方向に沿うように突設するのが望ましい。このように構成することで、連結部３２の幅方向に沿って長尺な第１の突部２１ａを介して支持部２１と連結部３２とが接触するため、連結部３２の幅方向におけるがたつきを防止することができる。
【００２６】
（実施形態２）
以下、本発明に係る速結端子装置の実施形態２について図面を用いて説明する。但し、本実施形態の基本的な構成は実施形態１と共通であるので、共通する部位には同一の番号を付して説明を省略するものとする。本実施形態は、図４（ａ），（ｂ）に示すように、支持部２１において、連結部３２に向かう方向に突出する長尺の第１の突部２１ａをその長手方向が支持部２１の長手方向に沿うように突設するとともに、連結部３２において、支持部２１に向かう方向に突出するとともに連結部３２の幅方向において第１の突部２１ａを挟んだ位置で支持部２１に当接する一対の長尺の第２の突部３２ａをその長手方向が連結部３２の長手方向に沿うように突設したことに特徴がある。
【００２７】
而して、支持部２１と連結部３２とが連結部３２の幅方向において第１の突部２１ａ及び第２の突部３２ａを介して接触するため、連結部３２の幅方向におけるがたつきを防止することができる。
【００２８】
（実施形態３）
以下、本発明に係る速結端子装置の実施形態３について図面を用いて説明する。但し、本実施形態の基本的な構成は実施形態１と共通であるので、共通する部位には同一の番号を付して説明を省略するものとする。本実施形態では、図５（ａ），（ｂ）に示すように、支持部２１において、連結部３２に向かう方向に突出する長尺の第１の突部２１ａをその長手方向が支持部２１の幅方向に沿うように突設するとともに、連結部３２において、支持部２１に向かう方向に突出する長尺の第２の突部３２ａをその長手方向が連結部３２に幅方向に沿うように突設している。
【００２９】
ここで、速結端子装置Ａは、ボディ１０の長手方向における一端部に設けられた空間、即ち収納部Ｃに収納され（図６参照）、鎖錠ばね３を収納部Ｃに収納した後に端子板２を上方から鎖錠ばね３を覆う形で挿入することで完成する。この時、端子板２が正しく挿入されたか否かを確認する手段が無いために、端子板２を必要以上に押し込んで端子板２を折曲してしまったり、端子板２の押し込みが足らずに端子板２がボディ１０に対して浮いてしまう等の不具合が生じる虞がある。
【００３０】
そこで、本実施形態では、上述のように支持部２１と連結部３２にそれぞれ第１の突部２１ａと第２の突部３２ａを設けるとともに、端子板２及び鎖錠ばね３が収納部Ｃに収納された時に第１の突部２１ａが第２の突部３２ａよりも挿入方向における奥側に位置するようにしている。このように構成することで、鎖錠ばね３を収納した収納部Ｃに端子板２を収納する際に、第１の突部２１ａが第２の突部３２ａを乗り越えて端子板２が挿入されるためにクリック感を与えることができるので、収納部Ｃに端子板２が正しく挿入されたか否かを確認することができ、上記のような不具合が発生するのを防ぐことができる。
【図面の簡単な説明】
【００３１】
【図１】本発明に係る速結端子装置の実施形態１を示す図で、（ａ）は要部斜視図で、（ｂ）は要部断面図である。
【図２】同上の第１の突部の他の構成を示す図で、（ａ）は要部斜視図で、（ｂ）は要部断面図である。
【図３】同上の第１の突部の更に他の構成を示す図で、（ａ）は要部斜視図で、（ｂ）は要部断面図である。
【図４】本発明に係る速結端子装置の実施形態２を示す図で、（ａ）は要部斜視図で、（ｂ）は要部断面図である。
【図５】本発明に係る速結端子装置の実施形態３を示す図で、（ａ）は要部斜視図で、（ｂ）は要部断面図である。
【図６】従来の速結端子装置が用いられる器具の分解斜視図である。
【図７】従来の速結端子装置を示す図で、（ａ）は電線を挿入する前の状態の要部断面図で、（ｂ）は電線を挿入した後の状態の要部断面図である。
【符号の説明】
【００３２】
１  器体
１０ａ  電線挿入孔
２  端子板
２０  接触部
２１  支持部
２１ａ  第１の突部
３  鎖錠ばね
３０  鎖錠部
３１  押圧部
３２  連結部
Ｂ  電線
【図１】
2009259537.tif 000003
【図２】
2009259537.tif 000004
【図３】
2009259537.tif 000005
【図４】
2009259537.tif 000006
【図５】
2009259537.tif 000007
【図６】
2009259537.tif 000008
【図７】
2009259537.tif 000009